(57)【特許請求の範囲】
【請求項１】
二つの蝶番、固定レバーとネジインサートを含み、前記二つの蝶番は相対的に回転でき、前記各蝶番は軸受スリーブと軸受スリーブの外に固着された羽根を含み、前記固定レバーはスクリューを備える角度を調整して定位及び自動閉鎖可能のヒンジであって、
さらに固定座、調節座とネジリングを含み、前記ネジインサートが一つの蝶番の軸受スリーブ中に固着され、前記固定座が一つの蝶番の軸受スリーブ中に固着され、前記ネジインサートと固定座が隔たっている、
前記二つの蝶番の軸受スリーブのネジインサートと固定座の間に、固定レバー、ネジリング、第一磁石、第二磁石、第一スプリング、コップ、第二スプリングと調節座が設けられ、前記固定レバーのスクリューがネジインサートにねじ込まれ、前記第一スプリングが固定レバーとコップの前端面の間に当接して置かれ、前記第一磁石が固定レバーと一緒に移動でき、前記第二スプリングの一端が固定座に当接することができ、前記第二スプリングのもう一端が第二磁石に当接し、前記第二磁石が固定座に対して移動でき、前記第一磁石と第二磁石がお互いに引き付け、前記調節座を調整回転させて第二磁石と固定座及びコップの底部と合わせることで、第二磁石と固定座の間隔寸法位置を調整・接近することができ、
前記調節座を調整回転させて前記コップの底部を移動させることで、第二磁石と第一磁石の間隔寸法位置を調整・接近することができる、
ということを特徴とする角度を調整して定位及び自動閉鎖可能のヒンジ。
【請求項２】
前記固定座がもう一つの蝶番の軸受スリーブに固着されることを特徴とする請求項１に記載の角度を調整して定位及び自動閉鎖可能のヒンジ。
【請求項３】
さらに連接スリーブを含み、前記固定レバーはスライド可能と移動可能に連接スリーブの中に連接され、前記ネジインサートは回転可能且つスライド不可能に連接スリーブの中に連接され、第一磁石、第二磁石、第一スプリングと第二スプリングが連接スリーブの中に連接され、
前記一つの蝶番とネジインサートが連接スリーブから伸び出す部分が固着され、前記もう一つの蝶番と固定座が連接スリーブから伸び出す部分が固着されることを特徴とする請求項２に記載の角度を調整して定位及び自動閉鎖可能のヒンジ。
【請求項４】
前記一つの蝶番に間隔をおいて置かれる二つの前記軸受スリーブが設けられ、前記軸受スリーブは右軸受スリーブであり、
その右羽根に開け口が設けられ、
その左蝶番に一つの前記軸受スリーブが設けられ、前記軸受スリーブは左軸受スリーブであり、前記左軸受スリーブが二つの右軸受スリーブの間にあり、それの左羽根が前記右羽根の開け口とフィットする、
ことを特徴とする請求項１に記載の角度を調整して定位及び自動閉鎖可能のヒンジ。
【請求項５】
さらに第一ネジと第二ネジを含み、前記第一ネジと第二ネジともには滑らかな棒段と末端に位置するねじ山段を備え、前記第一ネジの滑らかな棒段が第一磁石を貫通する且つねじ山段が固定レバーにねじ込まれ、前記第一ネジのスクリュー・ヘッドが第一磁石に支えられ、
前記第二ネジの滑らかな棒段が第二磁石を貫通する且つねじ山段が調節座にねじ込まれ、前記第二ネジのスクリュー・ヘッドが第二磁石に支えられる、
ことを特徴とする請求項１〜４のいずれか一つに記載の角度を調整して定位及び自動閉鎖可能のヒンジ。
【請求項６】
さらに軸受スリーブの中に設けられて相対移動可能なコップを含み、前記第二スプリン
グがコップの底部と第二磁石の間に当接し、前記調節座をコップの底部と固定座と連接してコップの底部と固定座の間の間隔を調整し、固定座と第二磁石の間隔を調整・接近することができ、
前記調節座を調整回転させて前記コップの底部を移動させることで、第二磁石と第一磁石の間隔寸法位置を調整・接近することができる、
ことを特徴とする請求項１〜４のいずれか一つに記載の角度を調整して定位及び自動閉鎖可能のヒンジ。
【請求項７】
前記調節座は第三ネジであり、前記第三ネジがねじ込まれて固定座を貫通する且つコップの底部に当接していることを特徴とする請求項６に記載の角度を調整して定位及び自動閉鎖可能のヒンジ。
【請求項８】
前記第二スプリング、第二磁石は完全にコップ内に置かれ、前記第二磁石がスライド可能でコップとフィットし、前記第一磁石の下部はスライド可能にコップとフィットすることを特徴とする請求項６に記載の角度を調整して定位及び自動閉鎖可能のヒンジ。
【請求項９】
前記固定レバーのスクリューの末端には固着されている凸環があり、且つ前記凸環にリング状の凸環が固着され、前記リング状凸環に連接レバーが固着され、前記第一スプリングが連接レバーと連接する且つ凸環とコップの前の外環の縁部及びパッキンの間に当接していることを特徴とする請求項６に記載の角度を調整して定位及び自動閉鎖可能のヒンジ。
【請求項１０】
二つの蝶番、固定レバーとネジインサートを含み、前記二つの蝶番は相対的に回転でき、前記各蝶番は軸受スリーブと軸受スリーブの外に固着された羽根を含み、前記固定レバーはスクリューを備える角度を調整して定位及び自動閉鎖可能のヒンジであって、
さらに固定座、調節座とネジリングを含み、前記ネジインサートが一つの蝶番の軸受スリーブ中に固着され、前記固定座が一つの蝶番の軸受スリーブ中に固着され、前記ネジインサートと固定座が隔たっている、
前記二つの蝶番の軸受スリーブのネジインサートと固定座の間に、固定レバー、第一磁石、第二磁石、第二スプリングと調節座が設けられ、前記固定レバーのスクリューがネジインサートにねじ込まれ、前記第一磁石が固定レバーと一緒に移動でき、
第一ネジと第二ネジを含み、
前記第二スプリングは固定レバーが備える凸環とパッキン及び第一磁石の間に位置され、且つ前記第一ネジは第一磁石の内環貫通孔、パッキン内環貫通孔と第二スプリングを貫通して連接レバーにねじ込まれることで、第一磁石を連接レバーと連接させ、
前記第二磁石は羽根の定位角度を補助調節するパッキンの上に位置され、且つ前記第二ネジが第二磁石の内環貫通孔、パッキン内環貫通孔を貫通して調節座にねじ込まれることで、第二磁石を調節座と連接させ、
前記凸環にリング状凸環が固着され、且つ前記リング状凸環に連接レバーが固着され、且つ、前記凸環とリング状凸環を一緒に固着して凸環を構成し、前記リング状凸環の外環円周方向に凹んでリング状の凹溝が設けられ、且つ前記リング状凸環のリング状凹溝に密閉ゴムバンドが掛けて連接され、且つ前記密閉ゴムバンドがリング状取付溝から伸び出すことで、連接スリーブの中に密閉で寄せ接がれ、且つ前記密閉ゴムバンドがリング状凸環に合わせて連接スリーブの中に、下と上のスライドと移動ができ、連接スリーブの中に密閉減衰力と抵抗力を発生し、リング状凸環が連接スリーブの中に下と上のスライドと移動に発生した減衰力と抵抗力を増強する効果を発揮し、リング状凸環が連接スリーブの中の自動定位力の強度を相対的に増強し、同時に相対的に第二磁石の蓄積エネルギーと第一磁石の蓄積エネルギーが磁気吸着する時の蓄積エネルギーの磁気吸収力の増強解放を強化と増強することを協力補助ができ、第二磁石と第一磁石を強い力で連接スリーブの中に磁気吸着されて定位させ、蝶番の羽根が設定定位角度の位置のある定位角度位置の自動定位力を一層強くすることの強化と増強を同時に補助することができる、
ことを特徴とする角度を調整して定位及び自動閉鎖可能のヒンジ。
【請求項１１】
二つの蝶番、固定レバーとネジインサートを含み、前記二つの蝶番は相対的に回転でき、前記各蝶番は軸受スリーブと軸受スリーブの外に固着された羽根を含み、前記固定レバーはスクリューを備える角度を調整して定位及び自動閉鎖可能のヒンジであって、
さらに固定座、調節座とネジリングを含み、前記ネジインサートが一つの蝶番の軸受スリーブ中に固着され、前記固定座が一つの蝶番の軸受スリーブ中に固着され、前記ネジインサートと固定座が隔たっている、
前記二つの蝶番の軸受スリーブのネジインサートと固定座の間に、固定レバー、第一磁石、第二磁石と調節座が設けられ、前記固定レバーのスクリューがネジインサートにねじ込まれ、
前記固定レバーのスクリューの末端に凸環が固着され、且つ前記凸環にリング状凸環が固着され、且つ前記リング状凸環に連接レバーが固着され、
前記スクリューにスクリューフックが固着され、このフックレバーの寸法はネジインサートの引っ張りばねの貫通孔上端のフックレバー放置階段とフィットし、且つ、フックレバーはフックレバー放置階段に平らに取り付け、ここで、前記ネジインサートに貫通したネジインサートの引っ張りばね貫通孔が設けられ、加えて、前記引っ張りばねはネジインサートの引っ張りばね貫通孔の中に取り付けられ、
且つ、引っ張りばねの両端に前フックと後フックが固着され、且つ前記引っ張りばねの前フックがフックレバーを引っ掛かり、前記引っ張りばねの後フックがスクリューのフックを引っ掛かることで、引っ張りばねは固定レバーのスクリューがネジインサートに対して軸線に沿って下方向へスライドと移動する時の間隔寸法位置を変更しないように制御し、前記引っ張りばねで固定レバーが第二磁石の方向への落下が防止され、引っ張りばねで固定レバーがネジインサートに対して軸方向に沿って上下スライドと移動する軸方向と軸距の間隔寸法を変更しないように定位および制限することができる、
ことを特徴とする角度を調整して定位及び自動閉鎖可能のヒンジ。
【発明の詳細な説明】
【技術分野】
【０００１】
本発明は角度を調整して定位及び自動閉鎖可能のヒンジに関する。
【背景技術】
【０００２】
中国の特許データベースに、「ある昇降できる蝶番装置」という実用新案が公告され、出願番号は２０１３２０８３５６５５１である。それは上蝶番、下蝶番、伝動座と伝動レバーを含む。上蝶番は上軸受スリーブと上軸受スリーブに固着されている上蝶番羽根を含む。下蝶番は下軸受スリーブと下軸受スリーブに固着されている下蝶番羽根を含む。伝動座に上軸受スリーブが固着され、前記伝動座の底面に伝動キャビティが凹んで設置され、前記伝動キャビティの内回転面に第一螺旋部が設けられている。伝動レバーに下軸受スリーブが固着され、前記伝動レバーの外回転面に第二螺旋部が設けられ、前記伝動レバーが伝動キャビティと連接し、前記第一螺旋部分が第二螺旋部分と合わせて噛み合さり、その内、上蝶番を押して上蝶番を下蝶番に対して回転させ、第一螺旋部分と第二螺旋部分の連係で、上蝶番を上昇させる。押しを緩め、上蝶番が重力の作用で下に下がり、第一螺旋部分と第二螺旋部分の連係を通して上蝶番を自動的に復位して閉止状態に戻す。前記昇降蝶番装置はある設定角度範囲内での自動定位が実現できず、もう一つの設定角度で自動閉止ができるが、自動定位の設定角度を調整することができない。
【先行技術文献】
【特許文献】
【０００３】
【特許文献１】中国特許出願第２０１３２０８３５６５５１号
【発明の概要】
【発明が解決しようとする課題】
【０００４】
背景技術に説明した昇降蝶番装置の不足を克服するため、本発明は角度を調整して定位及び自動閉鎖可能のヒンジを提供する。
【課題を解決するための手段】
【０００５】
本発明が技術問題を解決するため採用する技術案は以下である。
【０００６】
角度を調整して定位及び自動閉鎖可能のヒンジは二つの蝶番、固定レバーとネジインサートを含み、前記二つの蝶番は相対的に回転でき、前記各蝶番は軸受スリーブと軸受スリーブの外に固着された羽根を含み、前記固定レバーはスクリューを備える。特徴として、さらに固定座、調節座とネジリングを含み、前記ネジインサートが一つの蝶番の軸受スリーブ中に固着され、前記固定座が一つの蝶番の軸受スリーブ中に固着され、前記ネジインサートと固定座が隔たっている。前記二つの蝶番の軸受スリーブのネジインサートと固定座の間に、固定レバー、ネジリング、第一磁石、第二磁石、第一スプリング、コップ、第二スプリングと調節座が設けられ、前記固定レバーのスクリューがネジインサートにねじ込まれ、前記第一スプリングが固定レバーとコップの前端面の間に当接して置かれ、前記第一磁石が固定レバーと一緒に移動でき、前記第二スプリングの一端が固定座に当接し、前記第二スプリングのもう一端が第二磁石に当接し、前記第二磁石が固定座に対して移動でき、前記第一磁石と第二磁石が吸着し、前記調節座を調整回転させて第二磁石と固定座及びコップの底部と合わせることで、第二磁石と固定座の間隔寸法位置を調整・接近することができる。前記調節座を調整回転させて第二磁石と固定座及びコップの底部と合わせることで、第二磁石と第一磁石の間隔寸法位置を調整・接近することができる。
【発明の効果】
【０００７】
本技術は背景技術と比べ、以下のメリットがある。
【０００８】
ネジインサートと固定座の間に、固定レバーとネジリングと二つの磁石と二つのスプリングと調節座が設けられ、二つの蝶番が相対的に回転する時に、二つの軸受スリーブ中の連接スリーブのネジインサートとスクリューが相対的に回転でき、このことで、固定レバーのスクリューの二つ以上の中の六つの標準斜度ピッチの凸ねじ山の噛合歯がネジインサートの二つ以上の中の六つの標準斜度ピッチの凹ねじ山の噛合歯に対して軸に沿って下へとスライド・移動することができ、スクリューの六つの標準斜度ピッチの凸ねじ山の噛合歯がネジインサートの六つの標準斜度ピッチの凹ねじ山の噛合歯に対して軸に沿って下へとスライド・移動することができ、ネジインサートとスクリューを相対的に軸に沿って蝶番が回転する設定角度の範囲内で上下活動させ、前記固定レバーが受ける二つの磁石の磁力、二つのスプリングの弾力から転換する突っ張る力がつりあうので、蝶番の羽根が回転している設定定位角度の範囲内に自動定位でき、使いやすい。同時に、設定定位角度の中のある設定角度位置が自動定位起点以下になると、蝶番の羽根の自動閉止機能が実現でき、調節座を調整回転して固定座と第二磁石及びコップの底部と連係することで、第二磁石と固定座の間隔を調整・接近することができ、第二磁石と第一磁石が強い力で吸着し、連接スリーブの中に強く固定させ、前記調節座が蝶番羽根の設定定位角度に合わせて連係調整することで、蝶番の羽根が必要な設定定位角度範囲内の単一定位角度位置の起点から自動定位させ、設定定位角度の中の単一定位角度が自動定位位置起点以下になると蝶番の羽根が自動閉止する境界点、つまり、蝶番が設定定位角度の中のある定位角度位置起点に回転すると自動定位し、また設定定位角度の中のある単一定位角度が自動定位位置起点以下になって蝶番の羽根が自動閉止する境界点になると、固定座が第二磁石と固定座及びコップの底部と連係することで、第二磁石と第一磁石の間隔寸法距離を調整・接近することができ、第二磁石と第一磁石が強い力で吸着し、連接スリーブの中に強く固定させ、相対的に前記調節座が蝶番羽根が必要な設定定位角度に合わせて自動定位し、蝶番が必要な設定定位角度範囲内のある定位角度位置の起点になると自動定位させ、及び設定定位角度範囲内のある定位角度位置、蝶番が自動定位できる位置起点の以下になると、蝶番の羽根の自動閉止機能が実現できる。
【図面の簡単な説明】
【０００９】
以下は図と実施例を結合して本発明を更なる説明する。
【００１０】
【図１】図１は実施例一の蝶番の構造図である。
【図２】図２は実施例一の左蝶番の構造図である。
【図３】図３は実施例一の右蝶番の構造図である。
【図４】図４は実施例一の第一スプリングの構造図である。
【図５】図５は実施例一の第三軸受けの構造図である。
【図６】図６は実施例一の連接スリーブの取付構造図である。
【図７】図７は実施例一の連接スリーブの構造図である。
【図８】図８は実施例一のネジインサートの構造図である。
【図９】図９は実施例一のネジインサートの立体図である。
【図１０】図１０は実施例一の第一軸受けの立体図である。
【図１１】図１１は実施例一のネジリングの立体図である。
【図１２】図１２は実施例一の回転ニップルの立体図である。
【図１３】図１３は実施例一の固定レバーの立体図である。
【図１４】図１４は実施例一の第一磁石の構造図である。
【図１５】図１５は実施例一の第一磁石の立体図である。
【図１６】図１６は実施例一の第一ネジの構造図である。
【図１７】図１７は実施例一の第二磁石の構造図である。
【図１８】図１８は実施例一の第二磁石の立体図である。
【図１９】図１９は実施例一の第二ネジの構造図である。
【図２０】図２０は実施例一の密閉ゴムバンドの立体図である。
【図２１】図２１は実施例一のコップの立体図である。
【図２２】図２２は実施例一のコップの構造図である。
【図２３】図２３は実施例一の固定座の立体図である。
【図２４】図２４は実施例一の固定座の構造図である。
【図２５】図２５は実施例一の調節座の立体図である。
【図２６】図２６は実施例一の調節座の構造図である。
【図２７】図２７は実施例二の蝶番の構造図である。
【図２８】図２８は実施例二の軸受けの取付構造図である。
【図２９】図２９は実施例三の蝶番の構造図である。
【図３０】図３０は実施例三のパッキンの構造図である。
【図３１】図３１は実施例三の固定レバーの構造図である。
【図３２】図３２は実施例三の密閉ゴムバンドの立体図である。
【図３３】図３３は実施例三の第二スプリングの構造図である。
【図３４】図３４は実施例四のヒンジの構造図である。
【図３５】図３５は実施例五のヒンジの構造図である。
【図３６】図３６は実施例五のスクリューフックの立体図である。
【図３７】図３７は実施例五のゴム柱の立体図である。
【図３８】図３８は実施例五のネジインサートの引っ張りばね貫通孔の構造図である。
【図３９】図３９は実施例五の第一磁石の立体図である。
【図４０】図４０は実施例五の第二磁石の立体図である。
【図４１】図４１は実施例五の第一磁石蓋套の立体図である。
【図４２】図４２は実施例五の第二磁石蓋套立体図である。
【発明を実施するための最良の形態】
【００１１】
（実施例１）
本発明の蝶番構造と構造部品は任意の形状の蝶番の軸受スリーブでの設置に適し、例えば、蝶状蝶番、Ｈ型蝶番、親子型蝶番、旗型蝶番、車ドアの蝶番、車ドア折り蝶番及び任意の異型蝶番などである。このような角度を調整して定位及び自動閉鎖可能のヒンジは、例えば、任意のドア及び任意の戸や窓及び任意の車ドア、車室のドアなどに取り付けることができる。前記角度を調整して定位及び自動閉止するヒンジの設定定位角度は、設定定位角度の２０度の定位角度位置から１８０度の設定定位角度まで設定でき、且つ、設定定位角度の２０度定位角度位置から１８０度設定定位角度の中に、いずれの設定定位角度の位置起点において、蝶番の羽根の自動定位が実現可能で、及び何れの設定定位角度の位置起点から、蝶番の羽根が定位位置の起点以下から、蝶番の羽根の自動閉鎖が実現できる。
【００１２】
図１から図７に示すように、蝶番は一つの左蝶番１０と一つの右蝶番２０を含む。前記左蝶番１０には一つの左軸受スリーブ１１と左軸受スリーブ１１の外に固着されている左羽根１２を含み、前記左軸受スリーブ１１が左羽根１２の下半部に設けられる。前記右蝶番２０には一つの右軸受スリーブ２１と右軸受スリーブ２１の外に固着されている右羽根２２を含み、前記右軸受スリーブ２１が右羽根２２の上半部に設けられる。前記固着ネジ９８が右軸受スリーブ２１のネジ貫通孔にねじ込まれて回転リング４１を突きぬけて固定細いレバー４２に締められることで、右軸受スリーブ２１と回転リング４１と細いレバー４２が固着されている。連接スリーブ５０の中に第二凸縁５２が設けられ、第二凸縁５２が連接スリーブ５０の中に固定座６０のリング状凹溝５２０と当接していることを通して、第二凸縁５２が連接スリーブ５０の中に、固定座６０のリング状凹溝５２０に嵌めることができ、固定座６０と第二凸縁５２を連接スリーブ５０に固着させ、前記固定座６０が連接スリーブを伸びだす部分は固定ネジ９８を通して左軸受スリーブ１１のネジ貫通孔に突き抜けてねじ込まれ、固定座６０にねじ込まれることで、左軸受スリーブ１１を固定座６０と固着させる。
【００１３】
図１から図２６に示すように、蝶番はさらに固定レバー３０、ネジインサート４０、連接スリーブ５０、固定座６０と調節座７０を含む。前記連接スリーブ５０が左軸受スリーブ１１と右軸受スリーブ２１に連接され、前記左軸受スリーブ１１と右軸受スリーブ２１上下並列設置することで、二つの蝶番の相対的な回転が実現できる。前記第三軸受スリーブも回転可能に連接スリーブ５０の外に掛かり、前記第三軸受５９が回転可能に左軸受スリーブ１１の一端円周方向平面及び回転可能に右軸受スリーブ２１一端の円周方向平面の間に連接され、それにより、右蝶番２０が左蝶番１０の軸線に対する回転がもっと順調になり、左軸受スリーブ１１と右軸受スリーブ２１が並列に設置されることで、二つの蝶番が軸線に対して回転できる。
【００１４】
前記ネジインサート４０は回転可能且つスライド不可能に右軸受スリーブ２１中の連接スリーブ５０の中に連接され、前記右蝶番２０の右軸受スリーブ２１中の回転リング４１とネジインサート４０の細いレバー４２が連接スリーブ５０から伸び出す部分が固着され、それに合わせて一つの回転リング４１が設けられ、前記ネジインサート４０の上部に細いレバー４２が突き出て設けられ、前記ネジインサート４０の細いレバー４２は回転可能に回転リング４１を貫通することができ、前記回転リング４１がフィットされて右軸受スリーブ２１の上端部に置かれ、固着ネジ９８を右軸受スリーブ２１のネジ貫通孔にねじ込んでから、回転リング４１を突き抜けて固着細いレバー４２にねじ込まれることで、右軸受スリーブ２１と回転リング４１と細いレバー４２が固着され、固定レバーがネジインサートに対して軸方向に沿って上下スライドと移動する軸方向と円周方向の間隔寸法係数位置を決めることができ、蝶番の羽根にフィットして自由に定位角度を設定することができる。前記回転リング４１と右軸受スリーブ２１はネジインサート４０の軸方向での活動を制限・制御できる。連接スリーブ５０に第二凸縁５２が設けられ、第二凸縁５２が連接スリーブ５０の中に固定座６０のリング状凹溝５２０と当接しており、第二凸縁５２が連接スリーブ５０の中に固定座６０のリング状凹溝５２０に嵌めさせ、固定座６０と第二凸縁５２が連接スリーブの中に連接固着させ、前記固定座６０が連接スリーブ５０から伸び出す部分は固定ネジ９８を通して左軸受スリーブ１１のネジ貫通孔にねじ込まれ、固定座６０にねじ込まれて固着してから調節座７０にねじ込まれて固定させ、それと同時に、前記固定ネジ９８は先に、左軸受スリーブ１１及び固定座６０と合わせて一緒に調節座７０にねじ込まれて固定しなくても良い、調節座７０を調節回転させて固定座６０と第二磁石８２とコップ６１の底部にフィットした後に、第二磁石８２と第一磁石８１の間隔寸法位置を調整・接近し、第二磁石と第一磁石が吸着されて連接スリーブの中に固定され、相対的に前記調節座が蝶番羽根の設定定位角度に合わせて連係調整させ、蝶番の羽根を設定定位角度範囲内にキープし、必要な設定定位角度中のある定位角度から自動定位した後、待っている固定ネジ９８を再起動して調節座７０にねじ込まれて固定され、調節座７０の緩みを防止する。前記ネジインサートと固定座が隔たっていて、前記連接スリーブのネジインサートと固定座の間に固定レバー３０、ネジリング４３、第一磁石８１、第二磁石８２、コップ６１、パッキン８５、第一スプリング９１と第二スプリング９２を含み、前記固定レバー３０にはスクリュー３１があり、前記第一磁石８１、第二磁石８２がお互いに吸着する。前記第一磁石８１、第二磁石８２の蓄積エネルギーが磁気吸着する時の蓄積エネルギーの磁気吸収力の解放は、必ず第一スプリング９１の蓄積エネルギー弾力プラス第一ス
プリングの蓄積エネルギーの突っ張る力の解放より大きい。ここで、前記ヒンジの第一磁石は鋼鉄であり、磁気吸着力を蓄積しないか、又は第二磁石は鋼鉄であり、磁気吸着力を蓄積しない、二つの磁石の中の一つの磁石は鋼鉄であるので磁力を蓄積しなく、一つの磁石は蓄積能力を持つが、蝶番の羽根を設定定位角度の範囲内の単一定位角度位置での自動定位を同様に促進することができ、単一の定位角度自動定位角度位置起点以下になると、蝶番の羽根が自動閉止できる。前記固定レバー３０のスクリュー３１の噛合歯がネジインサート４０の噛合歯にフィットし、固定レバー３０のスクリュー３１がネジインサート４０に対して軸に沿って下へとスライド・移動させる。
【００１５】
前記固定レバー３０のスクリュー３１をネジインサート４０にねじ込まれ、前記第一スプリング９１を固定レバー３０とパッキン８５の間に当接しており、前記第一磁石８１は連接レバー３３と固着されて固定レバー３０と一緒に軸線に沿ってスライドできる。前記第二スプリング９２の一端が固定座に当接することができ、前記第二スプリング９２のもう一端が第二磁石８２に当接し、前記第二磁石８２が固定座６０に対して移動できる。前記調節座７０は第二磁石８２とコップの底部と固定座６０に合わせることで、第二磁石８２と固定座６０の間隔寸法位置を調整・接近する。前記調節座７０を調整回転させて固定座６０と第二磁石８２とコップ６１の底部と合わせることで、第二磁石８２と第一磁石８１の間隔寸法位置を調整・接近することができ、このことで、第二磁石と第一磁石が吸着して連接スリーブの中に固定される。調節座は蝶番の羽根が必要な定位角度を相対的にフィット連係調整し、蝶番が必要な設定角度中の９０度定位角度位置で自動定位させ、設定角度の中の９０度定位角度位置の起点以下になる時に、蝶番の羽根が自動閉止できる。つまり、蝶番を設定角度の中の９０度定位角度の位置起点に回転すると自動定位し、設定角度の中の９０度定位角度位置起点以下、蝶番の羽根が自動閉止できる境界点になると、調節座が第二磁石と固定座とコップの底部と合わせることで、第二磁石と第一磁石の間隔寸法位置を調整・接近することができ、調節座は蝶番の羽根が必要な定位角度を相対的にフィット連係調整し、蝶番が必要なある設定角度位置から自動定位させ、必要な設定角度の中のある定位角度位置の起点以下になる時に、蝶番の羽根が自動閉止できる。
【００１６】
好ましい実施形態において、連接スリーブ５０に第一凸縁５１が設けられ、第一凸縁５１が連接スリーブ５０の中にネジリング４３のリング状凹溝４０３と当接しており、第一凸縁５１が連接スリーブ５０の中にネジリングのリング状凹溝４０３に嵌めさせ、ネジリング４３と第一凸縁５１と連接スリーブ５０と一緒に連接スリーブ５０の中に連接固着させ、ネジリング４３が回転不可且つスライド・移動不可になるように連接スリーブ５０の中に固着させる。前記ネジリング４３に凹んで設置される貫通孔があり、且つ前記ネジリング４３の貫通孔の内環円周方向の前縁部に突き出してネジリングの内環凸縁４３３が設置され、前記固定レバー３０に凸環３２があり、且つ前記凸環の外環円周方向部に凹んで凸環スライドレールの凹溝３３２が設けられ、このことで、ネジリング４３の内環凸縁４３３が凸環スライドレールの凹溝３３２に当接しておることができる。前記ネジリングの内環凸縁４３３が固定レバー３０の凸環３２の凸環スライドレールの凹溝３３２に合わせて連係し、固定レバーを定位と制限してネジインサートに対して軸方向に沿って上下スライドと移動する軸方向と軸距の間隔寸法を変動しない。右蝶番２０の右羽根２１の設定定位角度に合わせ、右蝶番２０の右羽根２２の定位角度を５０度定位角度位置から１８０度定位角度位置に設定することができ、もし、前記右蝶番２０の右羽根２２が設定角度中の９０度設定角度位置の起点から自動定位する必要があり、それと同時に、前記蝶番の羽根を９０度設定角度中の９０度定位角度位置に開ける時に、前記右蝶番２０の右羽根２２を軸受スリーブ中の連接スリーブ５０中のネジインサートを連れて回転させ、固定レバーのスクリューの二つ以上の中の六つの標準斜度ピッチの凸ねじ山の噛合歯がネジインサート４０の二つ以上の中の六つの標準斜度ピッチの凹ねじ山の噛合歯に対して軸に沿って下へとスライド・移動させ、このことを通してスクリューの六つの標準斜度ピッチの凸ねじ山の噛合歯がネジインサートの六つの標準斜度ピッチの凹ねじ山の噛合歯に対して軸に沿って下へとスライド・移動し、それと同時に、前記固定レバーのスクリューと第一磁石が右蝶番２０の右羽根２２にフィットして蝶番の羽根がある必要な９０度設定角度位置に開けるまで下へとスライドし、相対的には右蝶番２０の右羽根２２が必要な設定角度中の９０度定位角度位置であり、それと同時に、前記右蝶番２０の右羽根２２は定位機能がなく、それと同時に、前記右蝶番２０の右羽根２２が設定角度中の９０度定位角度位置で定位する時に、固定座中の調節座を通して調節座を調整回転する必要がある。このことで、調節座を調整回転して固定座と第二磁石とコップの底部に合わせることができる。第二磁石と第一磁石の間隔寸法位置を調整・接近することができ、これによると、第二磁石と第一磁石が磁気吸着されて連接スリーブの中に固定される。調節座が蝶番の羽根が必要な設定角度の中の９０度設定角度位置にフィット・連係することを通して、蝶番の羽根が必要な設定角度中９０度の定位角度位置の起点から自動定位させ、しかし、前記右蝶番２０の右羽根２２も蝶番の羽根の設定回転角度最大限の１８０度角度位置まで開けてから解放し、それと同時に第一スプリングは固定レバー３０のリング状凸リング３２によって上から下への強い力の高圧で第一スプリング９１を圧縮する蓄積エネルギー弾力状態になり、第一スプリング９１の蓄積状態が変化し、蓄積エネルギー弾力が解放され、第一スプリング９１の一端の蓄積エネルギー弾力が強い力でリング状凸リング３２に当接し、且つ、第一スプリング９１のもう一端の蓄積エネルギー弾力が強い力でパッキン８５及びコップ６１の前端円周方向の平面に当接することができるので、蝶番の羽根を自動閉止して固定座中の調節座によって既に設定角度間の９０度定位角度位置に調節させた後に自動定位し、右蝶番２０の右羽根２２を閉止する必要があり、蝶番の羽根定位角度を固定座中の調節座によって既に設定角度間の９０度定位角度位置の起点以下に調節させた後に、右蝶番２０の右羽根２２の自動閉止機能が実現できる。前記ネジリング４３がネジインサートの下に位置する且つ前記スクリュー３１がネジリング４３を通り抜けてネジインサート４０にねじ込まれ、これにより、ネジリング４３はスクリュー３１がネジインサートに対する回転スライドと移動を制限することができ、発生した間隔寸法係数は、固定レバーがネジインサートに対して軸方向に沿って下へと上へとスライドと移動する時の軸方向と軸距の間隔寸法が変更しないことを定位と制限でき、相対的に蝶番の羽根に合わせて蝶番の羽根が自由に定位角度を設定させ、相対的に蝶番の羽根を設定角度の中の一定角度にキープすることを合わせることもでき、それが必要な設定角度のある定位角度位置から自動定位する。内、前記固定レバー３０の凸環３２の外環円周方向の側面部に凹んで凸環スライドレールの凹溝３３２が設けられ、前記ネジリングの貫通孔の内環円周方向の前縁にネジリングの内環凸縁４３３が突き出して設けられ、このことで、ネジリングの内環凸縁が凸環スライドレールの凹溝３３２に当接していることができ、前記ネジリングの内環凸縁４３３を凸環スライドレールの凹溝３３２に合わせて連係し、固定レバーを定位と制限してネジインサートに対して軸方向に沿って上下スライドと移動する軸方向と軸距の間隔寸法が変動せず、右蝶番の右羽根に合わせて定位角度を設定することができる。内、連接スリーブ５０の中に第三凸縁５３が設置され、第三凸縁５３が連接スリーブ５０の中で第一軸受のリング状凹溝５３０の中に当接しておることで、第三凸縁５３が連接スリーブ５０の中に第一軸受のリング状凹溝５３０に嵌めさせ、第一軸受４４と第三凸縁５３が上と下へと移動不可能に連接スリーブの中に固着させる（連接スリーブの中に第三凸縁５３を設けることで、第三凸縁５３が連接スリーブ５０の中で第一軸受のリング状凹溝５３０の中に嵌めさせ、軸方向で、第一軸受４４の移動を制限する）。前記固定レバー３０のリング状凸リング３２と第一スプリング９１の間に第二軸受３４が設けられ、前記第二軸受３４が固定レバー３０の連接レバー３３に掛けて接続され、前記第一スプリング９１を連接レバー３３に掛けて接続し、且つ第一スプリング９１の一端を第二軸受３４と当接しており、且つ前記第一スプリング９１のもう一端がパッキン８５とコップ６１の底部前端の円周方向の平面の間に突っ張って置かれる。連接スリーブ５０の中に第二凸縁５２が設けられ、第二凸縁５２が連接スリーブ５０の中でキャップ６０のリング状凹溝５２０の中に当接していることで、第二凸縁５２が連接スリーブ５０の中に固定座６０のリング状凹溝５２０に嵌めさせ、固定座６０と第二凸縁５２が相対的にスライドと移動不可能に連接スリーブの中に固着させ、且つ前記固定座６０が連接スリーブから伸び出す部分が左軸受スリーブ１１の中に固着される。前記連接スリーブ５０は中心スリーブ５０になることができる。
【００１７】
内、さらに第一ネジ８３と第二ネジ８４と固定ネジ９８を含み、前記第一ネジ８３と第二ネジ８４ともには滑らかな棒段と末端に位置するねじ山段８３１、８４１を備える。前記第一ネジ８３の滑らかな棒段が第一磁石８１の内環貫通孔を貫通し、且つねじ山段８３１が固定レバー３０の連接レバー３３にねじ込まれ、これにより、前記第一ネジ８３のスクリュー・ヘッド８３２が第一磁石８１の内環貫通孔階段８０１のところに支えられ、第一磁石８１と連接レバー３３が固着され、第一磁石８１と固定レバー３０が一緒に上下スライドと移動させ、第一磁石を第一ネジからの離れが制限できる以外、調節座７０にフィット連係することで、調節座７０が固定座６０と第二磁石８２にフィット連係することができ、調節座７０を調整回転させて固定座６０と第二磁石８２とコップ６１の底部にフィット連係することで、第二磁石８２と第一磁石８１の間隔寸法位置を調整・接近し、第二磁石と第一磁石が磁気吸収で連接スリーブの中に固着され、調節座が蝶番の定位角度に合わせて調整することができるので、蝶番の羽根を設定角度にして、必要のある定位角度位置が自動定位できる。前記第二ネジ８４の滑らかな棒段が第二磁石８２の内環貫通孔を貫通する且つねじ山段８４１が調節座７０の末端面にねじ込まれ、それにより、前記第二ネジ８４のスクリュー・ヘッド８４２が第二磁石８２の内環貫通孔階段８２１のところに支えられ、第二磁石８２と第二ネジ８４と調節座７０が連接され、又第二磁石８２を第二ネジ８４からの離れが制限でき、第二磁石８２が固定座６０と調節座７０にフィット連係することができ、調節座７０を調整回転させて第二磁石８２と第一磁石８１の間隔寸法位置を調整・接近することができ、調節座がフィットして蝶番の羽根の設定定位角度を調整することができる。
【００１８】
内、前記固定レバー３０のスクリュー３１の末端には固着されている凸環３２があり、前記凸環３２にリング状の凸環３２が固着され、且つ前記リング状凸環３２に連接レバー３３が固着され、且つ、前記凸環３２とリング状凸環３２を一緒に固着して凸環３２を構成し、前記リング状凸環３２の外環円周方向に凹んでリング状の凹溝３２１が設けられ、且つ前記リング状凸環のリング状凹溝３２１に密閉ゴムバンド３２２が掛けて連接され、且つ前記密閉ゴムバンド３２２がリング状の取付溝３２１から伸び出すことで、連接スリーブ５０の中に密閉で接合することができ、且つ前記密閉ゴムバンド３２２がリング状凸環３２に合わせて連接スリーブ５０の中に、上下スライドと移動でき、連接スリーブ５０の中に発生した密閉減衰力と抵抗力に対して、リング状凸環３２が連接スリーブ５０の中に下と上のスライドと移動に発生した減衰力と抵抗力を増強する効果作用があり、リング状凸環が連接スリーブ５０の中の自動定位力の強度を相対的に増強し、同時に第二磁石と第一磁石が磁気吸着する時の蓄積エネルギーの磁気吸収力に合わせて強化と増強することができ、第二磁石と第一磁石を連接スリーブ５０の中に強く磁気吸着されて定位させ、同時に右蝶番２０の羽根２２が設定定位角度の位置のある定位角度位置の自動定位力の強度の強化と増強を補助することができ、同時に、第一スプリングの蓄積エネルギーの弾力の解放を把握し制限することができ、相対的に、第一スプリングの蓄積エネルギーの弾力が強い力で上へと固定レバーのリング状凸環を突っ張る時の抵抗力と抵抗速度を緩めて緩衝することができ、蝶番の羽根の自動閉止速度の速さが制御と制限でき、角度を調節して定位及び自動閉止するヒンジの使用安全性能を向上と強化することができる。
【００１９】
内、連接スリーブ５０の中に設けられて相対移動可能のコップ６１を含み、前記第二スプリング９２がコップ６１の底部と第二磁石８２の間に当接しており、前記調節座７０をコップ６１の底部と固定座６０と連接してコップの底部と固定座の間の間隔の調整に用いられ、コップの底部と固定座の間の間隔寸法位置の調整は固定座と第二磁石の間隔寸法位置を調整・接近することができる。前記調節座を調整回転させて第二磁石と固定座及びコップの底部と合わせることで、第二磁石と第一磁石の間隔寸法位置を調整・接近することができ、第二磁石と第一磁石が吸着されて連接スリーブの中に定位させ、調節座は蝶番の羽根の定位角度を相対的にフィット連係調整し、蝶番が設定角度中の９０度定位角度位置で自動定位させ、設定角度の中の９０度定位角度位置の起点以下になる時に、蝶番の羽根が自動閉止の境界点になる。つまり、蝶番を設定角度の中の９０度定位角度の位置に回転すると自動定位し、設定定位角度の中の９０度定位角度位置起点以下の自動閉止できる境界点になると、蝶番の羽根の自動閉止機能が実現できる。例えば、前記右蝶番２０の右羽根２２が設定定位角度中の設定角度位置から自動定位する必要があり、前記蝶番の羽根を必要な設定角度中のある定位角度位置に開ける時に、前記右蝶番２０の右羽根２２を軸受スリーブ中の連接スリーブ５０中のネジインサートを連れて回転させ、固定レバーのスクリューの二つ以上の中の六つの標準斜度ピッチの凸ねじ山の噛合歯がネジインサート４０の二つ以上の中の六つの標準斜度ピッチの凹ねじ山の噛合歯に対して軸に沿って下へとスライド・移動することができ、このことを通して固定レバーがネジインサートに対して軸に沿って下へとスライド・移動できる。それと同時に、前記固定レバーのスクリューと第一磁石が右蝶番２０の右羽根２２にフィットして蝶番の羽根がある必要な設定角度位置に開けるまで下へとスライドと移動させ、相対的は右蝶番２０の右羽根が必要な設定角度中のある定位角度位置であり、それと同時に、前記蝶番の羽根には定位機能がなく、それと同時に、前記右蝶番２０の右羽根２２が設定角度中のある定位角度位置で定位する時に、固定座中の調節座を通して調節座を調整回転する必要があり、このことで、調節座を固定座と第二磁石とコップの底部に合わせることができ、第二磁石と第一磁石の間隔寸法位置を調整・接近することができ、これによると、第二磁石と第一磁石が吸着されて連接スリーブの中に定位させる。調節座は蝶番の羽根が必要な設定角度位置にフィット・連係することを通して、右蝶番２０の右羽根２２が必要な設定角度中のある必要な定位角度位置の起点から自動定位させ、しかし、前記右蝶番２０の右羽根２２も蝶番の羽根の設定回転角度最大限の１８０度角度位置まで開けてから、右蝶番２０の右羽根２２を自動閉止して固定座中の調節座によってある設定角度間の定位角度位置に調節させて自動定位した後、蝶番の羽根を閉止する必要があり、右蝶番２０の右羽根２２の定位角度が固定座中の調節座によって既に調整された設定角度間のある定位角度位置の起点以下から離脱する時に、右蝶番２０の右羽根２２の自動閉止機能が実現できる。
【００２０】
具体的な構造において、前記調節座７０は第三ネジであり、前記第三ネジがねじ込まれて固定座を貫通する且つコップの底部に当接しており、前記第三ネジを調整回転させて固定座と第二磁石と取り合わせ、第二磁石と第一磁石の間隔寸法を調整・接近することができる。好ましくは、前記第二ネジ８４のねじ山段８４１がねじ込まれて固定座６０の調節座７０の末端面に連接されている。前記第二スプリング、第二磁石が完全にコップの中に置かれ、前記第二磁石がスライド可能でコップとフィットし、前記第一磁石の下部はスライド可能にコップとフィットする。
【００２１】
内、前記スクリューはネジインサート及びネジリングに制限と制御され、スクリューの噛合歯がインサートの噛合歯とフィットし、ネジリングの内環凸縁４３３が固定レバー３０の凸環３２の凸環スライドレール凹溝３３２に合わせ、お互いに設定固定角度間隔での上下のスライドと移動を発生し、スクリューがネジインサートに対して軸線に沿って上下のスライドと移動の軸方向と軸距の間隔寸法係数位置を定位することができ、スクリューがネジインサートに対して設定間隔寸法位置でスライドと移動させ、蝶番の羽根にフィットして蝶番の羽根が自由で定位角度を設定し、蝶番の羽根が９０度の設定角度に開ける時に、軸受スリーブ中の連接スリーブ中のネジインサートを連れて回転させ、接スリーブ中の固定レバーのスクリューがネジインサートに対して軸線に沿って下へとスライドと移動し、それと同時に、固定レバーのスクリューと第一磁石が下へとスライドと移動し、それと同時に、蝶番が９０度の設定角度に開ける時に、前記蝶番には定位機能がなく、それと同時に、前記蝶番の羽根が９０度定位角度で定位する時に、固定座中の調節座を通して調節座を調整回転する必要がある。このことで、調節座を固定座と第二磁石とコップの底部に合わせることができる。第二磁石と第一磁石の間隔寸法位置を調整・接近することができ、これによると、第二磁石と第一磁石が吸着されて連接スリーブの中に定位させる。調節座が蝶番の羽根が必要な設定角度にフィット・連係することを通して、蝶番の羽根が必要な設定角度中９０度の定位角度位置の起点から自動定位させ、蝶番の羽根が設定角度の８５度定位角度から１８０度設定角度の間の９０度定位角度位置で自動定位した後に、前記蝶番の羽根を閉止する必要があり、これにより、蝶番羽根の定位角度を９０度の定位角度から離れ、蝶番定位角度が設定位置定位角度の９０度定位角度より低いと同時に、前記第一スプリングの蓄積エネルギー弾力は固定レバーのリング状凸環によって蓄積エネルギー弾力を圧縮する状態であり、第一スプリングの蓄積エネルギー弾力状態を変更させ、弾力が解放され、固定レバーのスクリュー及び軸受を上へと弾んで突っ張り、スクリューのねじ山噛合歯がネジインサートの噛合歯とフィットし、設定した軸方向と円周方向に沿って上へとスライド・移動を発生し、蝶番の羽根の自動閉止を実現する。連接スリーブ５０に第一凸縁５１が設けられ、連接スリーブ５０の中に第一凸縁５１を設置し、連接スリーブ５０の中の第一凸縁５１がネジリング４３のリング状凹溝４０３と当接しており、第一凸縁５１が連接スリーブ５０の中にネジリングのリング状凹溝４０３に嵌めさせ、ネジリング４３と第一凸縁５１と連接スリーブ５０と一緒に連接スリーブ５０の中に連接固着させ、ネジリング４３が回転不可且つスライド・移動不可になるように連接スリーブ５０の中に固着させ、且つ、前記ネジリングの貫通孔の内環円周方向の前縁部に突き出してネジリングの内環凸縁が設置され、且つ固定レバーの凸環の外環側面に凸環スライドレールの凹溝が設けられ、このことで、ネジリングの内環凸縁が凸環スライドレールの凹溝に当接しておることができる。ネジリングの内環凸縁が凸環のスライドレールの凹溝に合わせて連係し、固定レバーを定位および制限してネジインサートに対して上下スライドと移動する軸方向と軸距の間隔寸法を変動せず、蝶番の羽根の設定定位角度に合わせ、蝶番の羽根が設定角度間のある定位角度を合わせることができ、必要な定位角度位置での自動定位もできる。内、前記ネジリングの内環凸縁４３３にニップル３３３がスライド可能に掛けて設置され、スライド可能に掛けて設置されているニップル３３３のネジリング内環凸縁４３３が固定レバー３０の凸環３２の凸環スライドレール凹溝３３２に当接しており、固定レバーがネジインサートに対して軸線に沿って上下スライドと移動する時の運動がもっと順調になることを補助と強化し、蝶番の羽根の開閉がもっと順調になる。前記スライド凸環３２は凸環３２である。前記第一スプリング９１と第二スプリング９２で右蝶番２０の右羽根２２を促進して右蝶番２０の右羽根を１２５度角度の位置まで開けて解放し、それと同時に、右蝶番２０の右羽根２２を設定定位角度の５０度定位角度から１８０度定位角度の間の９０度定位角度に開けられる時に角度位置を自動定位する。それと同時に、第一スプリング９１は固定レバー３０のリング状凸環３２によって上から下へと強い力の高圧で第一スプリング９１を圧縮する蓄積エネルギー弾力状況であり、第一スプリング９１の蓄積エネルギー弾力状態を変更させ、弾力を解放させる。第一スプリング９１の蓄積エネルギー弾力力が強い力でリング状凸環３２と弾んで突っ張り、且つ、第一スプリング９１のもう一端の蓄積エネルギー弾力が強い力でパッキン８５及びコップ６１の前端円周方向の平面に当接し、それと同時に、前記第二スプリング９２は固定レバー３０のリング状凸環３２が第一磁石８１及び第二磁石８２に合わせて上から下へと強い力の高圧で第二スプリング９２を圧縮する蓄積エネルギー弾力状況であり、第二スプリング９２の蓄積エネルギー弾力状態を変更させ、弾力が解放され、第二スプリング９２の一端の蓄積エネルギー弾力力が強い力で第二磁石８２と弾んで突っ張り、且つ、第二スプリング９２のもう一端の蓄積エネルギー弾力が強い力でコップ６１の底面に突っ張り、第一スプリング９１と第二スプリング９２によって右蝶番２０の右羽根２２を元に戻して閉止させ、第一スプリング９１と第二スプリング９２によって右蝶番２０の右羽根２２を設定定位角度中の９０度設定角度位置に戻して自動定位させる。
【００２２】
（実施例２）
実施例一と異なるのは、図２７、図２８に示すように、前記右蝶番２０に二つの隔たって配置している前記右軸受スリーブ２１があり、前記軸受スリーブは右軸受スリーブ２１であり、それの右羽根２２に開け口が設けられることである。それの左蝶番１０に一つの前記左軸受スリーブ１１が設けられ、前記軸受スリーブは左軸受スリーブ１１であり、前記左軸受スリーブ１１が二つの右軸受スリーブ２１の間にあり、それの羽根が前記開け口とフィットする。連接スリーブを省略し、前記左軸受スリーブ１１から連接スリーブ５０を構成する。前記ネジインサートは固着ネジ９８を通して右軸受インサート２１のネジ貫通孔を貫通してネジインサート４０に捻じ込むことで、ネジインサート４０を固着ネジ９８を通して右軸受インサート２１に固着され、前記ネジインサート４０が右軸受インサート２１から伸び出す部分が回転可能に右軸受スリーブ２１の一端に連接され、前記右蝶番２０と右軸受２１でネジインサート４０の軸方向の活動を制約と制御することで、スクリューがネジインサートに対して軸線に沿って上下スライドと移動の軸方向と円周方向の間隔寸法係数位置を定位することができ、前記固着ネジ９８を左軸受インサート１１のネジ貫通孔を貫通してネジリング４３に捻じ込むことで、ネジリング４３を固着ネジ９８を通して左軸受インサート１１に固着され、且つ、前記ネジリングの貫通孔の内環円周方向の前縁部に突き出してネジリングの内環凸縁が設置され、且つ前記固定レバーの凸環の外環側面に凸環スライドレールの凹溝が設けられ、このことで、ネジリングの内環凸縁が凸環スライドレールの凹溝に当接しておることができる。ネジリングの内環凸縁が凸環のスライドレールの凹溝に合わせて連係し、固定レバーを定位と制限してネジインサートに対して軸に沿って上下スライドと移動する軸方向と軸距の間隔寸法を変動せず、蝶番の羽根の設定定位角度に合わせることができる。前記固定座６０が二つの軸受スリーブの中に固着されている。前記スライドレール凸環３２は凸環３２である。前記連接スリーブ５０は中心スリーブ５０である。
【００２３】
（実施例３）
実施例一と異なるのは、図２９から図３３に示すように、蝶番は一つの左蝶番１０と一つの右蝶番２０を含む。前記左蝶番１０には一つの左軸受スリーブ１１と左軸受スリーブ１１の外に固着されている左羽根１２を含み、前記左軸受スリーブ１１が左羽根１２の下半部に設けられることである。前記右蝶番２０には一つの右軸受スリーブ２１と右軸受スリーブ２１の外に固着されている右羽根２２を含み、前記右軸受スリーブ２１が右羽根２２の上半部に設けられる。前記固着ネジ９８が右軸受スリーブ２１のネジ貫通孔にねじ込まれて回転リングを突きぬけて固定回転リングに締められることで、右軸受スリーブ２１と回転リング４１と細いレバー４２が固着されている。連接スリーブ５０の中に第二凸縁５２が設けられ、前記第二凸縁５２が連接スリーブ５０に合わせて固定座６０を連接スリーブ５０に固着させ、前記固定座６０が連接スリーブを伸びだす部分は固定ネジ９８を通して左軸受スリーブ１１のネジ貫通孔にねじ込まれて突き抜けて固定座６０に捻じ込まれ、左軸受スリーブ１１を固定座６０と固着させる。蝶番はさらに固定レバー３０、ネジインサート４０、連接スリーブ５０、固定座６０と調節座７０を含む。前記連接スリーブ５０が左軸受スリーブ１１と右軸受スリーブ２１に連接され、前記左軸受スリーブ１１と右軸受スリーブ２１上下並列設置することで、二つの蝶番の相対的な回転が実現できる。前記第三軸受スリーブも回転可能に連接スリーブ５０の外に掛かり、前記第三軸受５９が回転可能に左軸受スリーブ１１の一端円周面及び右軸受スリーブ２１一端の円周面の間に連接され、それにより、右蝶番２０が左蝶番１０の軸線に対する回転がもっと順調になり、左軸受スリーブ１１と右軸受スリーブ２１が並列に設置されることで、二つの蝶番が軸線に対して回転できる。
【００２４】
前記ネジインサート４０は回転可能且つスライド不可能に右軸受スリーブ２１中の連接スリーブ５０の中に連接され、前記右蝶番２０の右軸受スリーブ２１中の回転リング４１はネジインサート４０の細いレバー４２が連接スリーブ５０から伸び出す部分と固着され、一つの回転リング４１が合わせて固着され、前記ネジインサート４０の上部に細いレバー４２が突き出て設けられ、前記ネジインサート４０の細いレバー４２は回転可能に回転リング４１を貫通することができ、前記回転リング４１が右軸受スリーブ２１の上端部にフィットして置かれ、固着ネジ９８を右軸受スリーブ２１のネジ貫通孔にねじ込んでから、回転リング４１を突き抜けて固着細いレバー４２にねじ込まれることで、右軸受スリーブ２１と細いレバー４２を固着させ、固定レバーがネジインサートに対して軸方向に沿って上下スライドと移動する軸方向と円周方向の間隔寸法係数位置を定位することができる。蝶番の羽根にフィットして自由に定位角度を設定することができる。前記回転リング４１と右軸受スリーブ２１でネジインサート４０の軸方向での活動が制限・制御できる。連接スリーブ５０に第二凸縁５２が設けられ、第二凸縁５２が連接スリーブ５０に合わせて固定座６０を連接スリーブの中に連接固着させ、前記固定座６０が連接スリーブ５０から伸び出す部分は固定ネジ９８を通して左軸受スリーブ１１のネジ貫通孔に捻じ込まれ、固着固定座６０にねじ込まれてから調節座７０にねじ込まれて固定させ、それと同時に、前記固定ネジ９８は先に、左軸受スリーブ１１及び固定座６０と合わせて一緒に調節座７０にねじ込まれて固定しなくても良い、調節座７０を調節回転させて固定座６０と第二磁石８２とコップ６１の底部にフィットした後に、第二磁石８２と第一磁石８１の間隔寸法位置を調整・接近し、第二磁石と第一磁石が吸着されて連接スリーブの中に定位させ、相対的に前記調整座が蝶番羽根の設定定位角度に合わせて連係調整させ、蝶番の羽根が設定定位角度範囲内にキープし、必要な設定定位角度中のある定位角度から自動定位した後、待っている固定ネジ９８を再起動して調節座７０にねじ込まれて固定され、調節座の緩みを防止する。前記第一磁石８１、第二磁石８２の蓄積エネルギーが磁気吸着による磁気吸収力は、必ず第一スプリング９１の蓄積エネルギー弾力と第一スプリングの蓄積エネルギーの突っ張る力の解放より大きい。前記凸環３２とリング状凸環３２を合体して凸環３２を構成する。前記補助調節羽根定位角度パッキン６１６がコップ６１の底部を構成してもよいが、パッキン８５に構成してもよい、且つ、前記補助調整羽根定位角度パッキン６１６の外環円周方向に凹んでリング状の取付溝３２１が設けられ、前記リング状取付溝３２１に密閉ゴムバンド３２２が掛けて連接され、且つ前記密閉ゴムバンド３２２がリング状取付溝３２１から伸び出すことで、補助調整羽根定位角度パッキン６１６を密閉で連接スリーブ５０の中に接合され、且つ補助調整羽根定位角度パッキン６１６の密閉ゴムバンドが調節座と第二磁石にフィット連係することができ、調節座と第二磁石が連接スリーブの中でのシフトと揺れを防止し、右蝶番２０の右羽根２２を設定角度位置での自動定位をもっと安定になる。前記補助調節定位角度パッキン６１６はコップ６１の底部であり、且つ前記コップ６１の底面はパッキン８５である。
【００２５】
（実施例４）
実施例一と異なるのは、図３４に示すように、ある具体的な構造において、前記固定レバー３０のスクリュー３１の末端には固着されている凸環３２があり、且つ前記凸環３２にリング状の凸環３２が固着され、且つ前記リング状凸環３２に連接レバー３３が固着され、且つ、前記凸環３２とリング状凸環３２を一緒に固着して凸環３２を構成し、前記リング状凸環３２の外環円周方向に凹んで凸環スライドレールが貫通する凹溝貫通孔３３２が設けられ、且つ前記リング状凸環３２に凹んでリング状の取付溝３２１が設けられることである。内、前記凸環のスライドレールの凹溝貫通孔３３２がスライドレバー３３９に合わせて固定することができ、固定レバーを定位と制限してネジインサートに対して上下スライドと移動する軸方向と軸距の間隔寸法を変動せず、蝶番の羽根の設定定位角度に合わせることができる。前記固定レバー３０はさらにスクリュー３１の末端には固着されている凸環３２があり、前記凸環３２の外環円周方向側面に凹んで凸環スライドレールが貫通する凹溝貫通孔３３２が設けられ、且つ前記凸環３２はさらに固着されているリング状凸環３２を含み、記リング状凸環３２に凹んでリング状の取付溝３２１が設けられ、前記リング状の取付溝３２１に密閉ゴムバンド３２２が掛けて連接され、且つ前記密閉ゴムバンド３２２がリング状取付溝３２１から伸び出すことで、リング状取付溝３２１を密閉で連接スリーブ５０の中に接合され、密閉ゴムバンド３２２とリング状取付溝３２１から前記の凸環３２を組み立てる。前記リング状凸環３２の外環円周部に凹んでリング状凹溝３２２が設けられ、且つ前記リング状凸環３２のリング状凹溝３２１に密閉ゴムバンド３２２が掛けて連接され、且つ前記密閉ゴムバンド３２２がリング状取付溝３２１から伸び出すことで、連接スリーブの中に当接しており、リング状凸環３２の密閉ゴムがスリーブ中のスクリューがネジインサートに対して上下スライドと移動する軸方向と軸距の間隔寸法を変動しないことを制御および制限し、同時に、軸受スリーブ中のスクリューがネジインサートに対して上下スライドと移動する時揺れないことを制御および制限でき、前記密閉ゴムバンドで固定レバーが第二磁石方向へとの落下が防止され、密閉ゴムバンドで第二磁石と第一磁石の蓄積エネルギー磁気吸着力の増強解放機能を強化と増強することができ、第二磁石と第一磁石を連接スリーブ５０の中に強く磁気吸着されて定位させ、蝶番の羽根が設定定位角度のある定位角度位置の自動定位力を強化と増強することができる。前記凸環スライドレール貫通凹溝貫通孔３２２から凸環スライドレール凹溝３３２を構成できる。前記密閉ゴムバンド３２２とリング状凸環３２を組み合わせて前記の凸環３２を構成する。前記固定レバー３０の凸環３２の外環円周方向に凹んで凸環スライドレール貫通凹溝貫通孔３２２が設けられ、且つ前記固定スライドレバー３３９が左軸受スリーブ１１のネジ貫通孔を貫通し、継続して左軸受１１中（連接スリーブ５０と連接する）の凸環節スライドレール貫通凹溝貫通孔３３２を突き通って左軸受スリーブ１１のネジ貫通孔を貫通し、このことで、固定レバー３３９を左軸受スリーブ１１の内外環の円周方向軸壁に固着させ、固定スライドレバー３３９を左軸受スリーブ１１を固着させ、スライドスリーブ３３３をスライド掛けて連接している固定スライドレバー３３９を凸環スライドレース貫通凹溝貫通孔３３２を貫通させ、固定スライドレバー３３９が固定レバー３０の凸環３２の凸環スライドレール貫通凹溝貫通孔３３２に合わせ、固定レバーがネジインサートに対して軸線に沿って上下スライドと移動する時の軸方向と円周方向の間隔寸法係数を制御と制限できる。第二スプリング９２で右蝶番２０の右羽根２２を促進して右蝶番２０の右羽根を１２５度角度の位置まで開けて解放し、それと同時に、右蝶番２０の右羽根２２を設定定位角度の５０度定位角度から１８０度定位角度の間の９０度定位角度に開けられる時に角度位置を自動定位する。それと同時に、第二スプリング９２は固定レバー３０のリング状凸環３２が第一磁石に合わせて上から下へと強い力の高圧で第二スプリング９２を圧縮する蓄積エネルギー弾力状況であり、第二スプリング９２の蓄積エネルギー弾力状態を変更させ、弾力が解放され、第二スプリング９２の一端の蓄積エネルギー弾力力が強い力でリング状凸環３２と弾んで突っ張り、且つ、第二スプリング９２のもう一端の蓄積エネルギー弾力が強い力でパッキン８５及び第一磁石８１に当接し、第二スプリング９２によって右蝶番２０の右羽根２２を元に戻して閉止させ、第二スプリング９２によって右蝶番２０の右羽根２２を９０度設定角度位置に戻して自動定位させる。
【００２６】
（実施例５）
実施例一と異なるのは、図３５から図４２に示すように、ある詳細な構造において、前記スクリュー３１にスクリューフック３１１が固着され、このフックレバー３１３の寸法はネジインサートの引っ張りばね貫通孔３１５上端のフックレバー放置階段３２５とフィットし、且つ、フックレバー３１３はフックレバー放置階段３２５に平らに取り付けて放置され、ここで、前記ネジインサート４０に貫通したネジインサートの引っ張りばね貫通孔３１５が設けられ、しかも、前記引っ張りばね３１８はネジインサートの引っ張りばね貫通孔３１５の中に取り付けられることである。且つ、引っ張りばね３１８の両端に前フック３２８と後フック３３８が固着され、且つ前記引っ張りばね３１８の前フック３２８がフックレバー３１３を引っ掛かり、前記引っ張りばね３１８の後フック３３８がスクリューのフック３１１を引っ掛かることで、引っ張りばね３１８は固定レバーのスクリュー３１がネジインサートに対して軸線に沿って下方向へスライドと移動する時の間隔寸法位置を変更しないように制御できる。前記ネジインサートは固着ネジ９８を右軸受インサート２１のネジ貫通孔を貫通してネジインサート４０に捻じ込むことで、ネジインサート４０を固着ネジ９８を通して右軸受インサート２１に固着され、前記ネジインサート４０が右軸受インサート２１から伸び出す部分が回転可能に連接スリーブ５０の一端に連接され
、前記右蝶番２０と右軸受２１でネジインサート４０の軸方向の活動を制約と制御することで、スクリューがネジインサートに対して軸線に沿って上下スライドと移動の軸方向と円周方向の間隔寸法係数位置を定位することができ、蝶番の羽根の設定定位角度に合わせ、蝶番の羽根が自由で定位角度を設定することができる。前記固定レバー３０の凸環３２の外環円周方向に凹んで凸環スライドレール貫通凹溝貫通孔３２２が設けられ、且つ前記固定スライドレバー３３９が左軸受スリーブ１１（連接スリーブ５０）のネジ貫通孔を貫通して凸環節スライドレール貫通凹溝貫通孔３３２を突き通ることで、固定レバー３３９を左軸受スリーブ１１の内外環の円周方向軸壁に固着させ、固定スライドレバー３３９を左軸受スリーブ１１を固着させ、固定スライドレバー３３９が固定レバー３０のスライド凸環３２の凸環スライドレール貫通凹溝貫通孔３３２に合わせ、固定レバーがネジインサートに対して軸線に沿って上下スライドと移動する時の軸方向と円周方向の間隔寸法係数を制御と制限できる。蝶番の羽根の設定定位角度に合わせ、蝶番の羽根の定位角度を５０度定位角度位置から１８０度定位角度位置に設定することができる。前記第一磁石蓋套８１１が固定ネジ９８を通して第一磁石蓋套８１１の側面円周方向貫通孔を貫通して第一磁石８１に捻じ込み、第一磁石蓋套８１１を第一磁石８１と固着させる。前記第一磁石蓋套８１１はエポキシ樹脂あるいは任意の粘漿剤を通し、第一磁石８１と第一磁石蓋套８１１を固着させる。第一ネジ８３が第一磁石蓋套８１１の貫通孔を貫通してからゴム柱９２２を貫通してリング状凸環３２に捻じ込まれることで、第一磁石蓋套８１１と第一磁石８１とゴム柱９２２とリング状凸環３２を連接させる。前記第二磁石蓋套８２２が固定ネジ９８を通して第二磁石蓋套８２２の側面円周方向貫通孔を貫通して第二磁石８２に捻じ込み、第二磁石蓋套８２２を第二磁石８２を固着させる。前記第二磁石蓋套８２２はエポキシ樹脂あるいは任意の粘漿剤を通し、第二磁石８２と第二磁石蓋套８２２を固着させる。前記調節座７０を第二磁石蓋套８２２のネジ貫通孔に捻じ込まれ、第二磁石蓋套８２２を調節座と固着させる。調節座を調節回転し、固定座６０と第二磁石８２と第二磁石蓋套８２２に合わせて第二磁石８２と第一磁石８１の間隔寸法位置を調節・接近し、蝶番の羽根の設定角度位置にフィットして自動定位する。
【００２７】
ゴム柱９２２で右蝶番２０の右羽根２２を促進して蝶番２０の右羽根２２を１２５度角度の位置まで開け、蝶番の右羽根２２を設定定位角度の５０度定位角度から１８０度定位角度の間の９０度定位角度に開けられる時に角度位置を自動定位する。それと同時に、ゴム柱９２２は固定レバー３０のリング状凸環３２が第一磁石蓋套８１１に合わせて上から下へと強い力の高圧でゴム柱９２２を圧縮する蓄積エネルギー弾力状態であり、ゴム柱９２２の蓄積エネルギー弾力状態を変更させ、ゴム柱９２２の蓄積エネルギー弾力が解放され、ゴム柱９２２の一端の蓄積エネルギー弾力が強い力でリング状凸環３２と弾んで突っ張り、且つ、ゴム柱９２２のもう一端の蓄積エネルギー弾力が強い力で第一磁石蓋套８１１に当接し、ゴム柱９２２によって右蝶番２０の右羽根２２を元に戻して閉止させ、ゴム柱９２２によって右蝶番２０の右羽根２２を９０度設定角度位置に戻して自動定位させる。
【００２８】
前記実施例は本発明の好ましい実施例であり、本発明は実施例に限定されるものではなく、本発明の技術実質に基づき、前記実施例に対するいかなる簡単な修正、類似変化及び修飾は本発明技術案の保護範囲に属する。
【産業上の利用可能性】
【００２９】
本発明が提供する角度を調整して定位及び自動閉鎖可能のヒンジは二つの蝶番、固定レバー、ネジインサート、ネジリング、固定座と調節座を含み、各部品の緊密な連係である設定角度範囲内の自動定位を実現することができ、他の設定角度に自動閉止が実現でき、同時に、自動定位の設定角度を調整できるので、広い応用の見込みと良い工業実用性がある。
【図１】
0006694190.tif 000002
【図２】
0006694190.tif 000003
【図３】
0006694190.tif 000004
【図４】
0006694190.tif 000005
【図５】
0006694190.tif 000006
【図６】
0006694190.tif 000007
【図７】
0006694190.tif 000008
【図８】
0006694190.tif 000009
【図９】
0006694190.tif 000010
【図１０】
0006694190.tif 000011
【図１１】
0006694190.tif 000012
【図１２】
0006694190.tif 000013
【図１３】
0006694190.tif 000014
【図１４】
0006694190.tif 000015
【図１５】
0006694190.tif 000016
【図１６】
0006694190.tif 000017
【図１７】
0006694190.tif 000018
【図１８】
0006694190.tif 000019
【図１９】
0006694190.tif 000020
【図２０】
0006694190.tif 000021
【図２１】
0006694190.tif 000022
【図２２】
0006694190.tif 000023
【図２３】
0006694190.tif 000024
【図２４】
0006694190.tif 000025
【図２５】
0006694190.tif 000026
【図２６】
0006694190.tif 000027
【図２７】
0006694190.tif 000028
【図２８】
0006694190.tif 000029
【図２９】
0006694190.tif 000030
【図３０】
0006694190.tif 000031
【図３１】
0006694190.tif 000032
【図３２】
0006694190.tif 000033
【図３３】
0006694190.tif 000034
【図３４】
0006694190.tif 000035
【図３５】
0006694190.tif 000036
【図３６】
0006694190.tif 000037
【図３７】
0006694190.tif 000038
【図３８】
0006694190.tif 000039
【図３９】
0006694190.tif 000040
【図４０】
0006694190.tif 000041
【図４１】
0006694190.tif 000042
【図４２】
0006694190.tif 000043